(57)【要約】      （修正有）【課題】正六面体からなるサイコロ部材を使用し、磁石と金属との磁気接続を利用するダイスカップを提供する。【解決手段】筒状の密閉容器本体の平面部一端側には、少なくとも１個の透明開口部を有し、またこの一端側の中央にはバネ部材３を介して摺動可能な棒状体４が貫通して設けられ、この一端側の内側には、正六面体からなる固定部材５が固着されると共に、棒状体４が挿通自在に貫通し、且つ固定部材５の他の四面の少なくとも１面の中央には磁石部材７を挿入する。さらに、この磁石部材７に対向してサイコロ部材８を保持するサイコロ保持部材が前記棒状体４と接続して摺動可能に配設され、少なくとも１個のサイコロ部材８を受け入れ可能とすると共に、該サイコロ部材８の六面に配設された金属片と、前記固定部材５の磁石部材７とがサイコロ保持部材８を介して磁気接続し、前記透明開口部を介してサイコロ部材７の標記を視認可能とする。【選択図】図２
0003155851.tif 000002
【実用新案登録請求の範囲】
【請求項１】
正六面体からなるサイコロ部材を使用するダイスカップ遊具であって、筒状の密閉容器本体（１）の平面部一端側には、少なくとも１箇所の透明部（２）を有し、またこの一端側の中央にはバネ部材（３）を介して摺動可能な棒状体（４）が貫通して設けられ、この一端側の内側には、正六面体からなる固定部材（５）が固着されると共に、前記棒状体（４）が挿通自在に貫通し、且つ固定部材（５）の他の四面の少なくとも１面の中央には磁石部材（６）が挿入されており、この磁石部材（６）に対向してサイコロ部材（７）を保持するサイコロ保持部材（８）が前記棒状体（４）と接続して摺動可能に配設され、少なくとも１個のサイコロ部材（７）を受け入れ可能とすると共に、該サイコロ部材（７）の六面に配設された金属片（９）と、前記固定部材（５）の磁石部材（６）とがサイコロ保持部材（８）を介して磁気接続し、前記透明部（２）を介してサイコロ部材（７）の標記を視認可能とすることを特徴とする密閉型ダイスカップ遊具。
【請求項２】
前記サイコロ部材（７）の六面には、サイコロ数字が標記され、少なくとも２個のサイコロ部材（７）が投入されることを特徴とする請求項１に記載の密閉型ダイスカップ遊具。
【請求項３】
前記サイコロ部材（７）の六面には、占い文字が標記され、１個のサイコロ部材（７）が投入されることを特徴とする請求項１に記載の密閉型ダイスカップ遊具。
【考案の詳細な説明】
【技術分野】
【０００１】
本考案は、ダイスカップ遊具に関し、とくに正六面体からなるサイコロを利用する密閉型ダイスカップ遊具に関するものである。
【背景技術】
【０００２】
従来より、サイコロを使ったゲームとしてダイスカップ（壷皿）を使うものが数多くある。これらのゲームにおいては１個ないし２個のサイコロをダイスカップの中に投入して振り出し、サイコロの目の数字や、絵柄等で勝敗を決定するものであった。しかしこのダイスカップの場合、一端側が開放された構造であり、サイコロを振り出す際に飛び出して紛失したり、子供が誤って飲み込む危険や、不正なサイコロを使用する虞があった。
【０００３】
そこで、透明若しくは半透明な材質にて成る中空な容器を形成し、その中に各面にそれぞれ異なる標識を有した正多面体ダイスを内在させた室内用ゲーム具が提案されている（特許文献１参照。）。また、少なくとも２個のダイスと、側隅部の二面に前記ダイスの二個分の長さを有する透明な窓部を有し、他の面全てを不透明とした筒状の容器とからなるダイス遊具もある（特許文献２参照。）。
【先行技術文献】
【特許文献】
【０００４】
【特許文献１】特開２００４−４１６６０号公報
【特許文献２】実用新案登録第３０４１６６９号公報
【考案の概要】
【考案が解決しようとする課題】
【０００５】
しかしながら、上記の特許文献１に記載されている室内用ゲーム具は、透明若しくは半透明な材質にて成る中空な容器の内部に１又は複数のダイスを入れて、上下、左右に振るか、容器本体を転がしてダイスの賽目を表示するものであり、ダイスを紛失したり、またダイス本体に直接手が触れる虞が無いため、不正が行なわれることが無いものであるが、中空容器とダイスの大きさによって、ダイスが重なり、賽目の表示が不安定となる欠点があった。
【０００６】
また、特許文献２に記載されているダイス遊具は、２個のダイスを使って、容器の側隅面側から賽目を確認できるものであるが、予めダイスを充分に攪拌しておかないと、同じ賽目がでる危険性があった。
【０００７】
本考案は、上記問題点に鑑みなされたものであり、密閉容器に投入したサイコロ部材を、磁石の吸引力を利用してサイコロ部材を保持することにより、ゲーム中にサイコロ部材が紛失せず、子供が誤って飲み込む危険や、不正なサイコロを使用を防止することが可能であり、しかも確実に賽目の表示ができる密閉型ダイスカップ遊具を提供することを目的とするものである。さらに、この構成によって占いなどの表示が可能な遊具を提供することを目的とするものである。
【課題を解決するための手段】
【０００８】
このため本考案の密閉型ダイスカップ遊具は、筒状の密閉容器本体１の平面部一端側には、少なくとも１箇所の透明部２を有し、またこの一端側の中央にはバネ部材３を介して摺動可能な棒状体４が貫通して設けられ、この一端側の内側には、正六面体からなる固定部材５が固着されると共に、棒状体４が挿通自在に貫通し、且つ固定部材５の他の四面の少なくとも１面の中央には磁石部材６が挿入されており、この磁石部材６に対向してサイコロ部材７を保持するサイコロ保持部材８が前記棒状体４と接続して摺動可能に配設され、少なくとも１個のサイコロ部材８受け入れ可能とすると共に、該サイコロ部材７の六面に配設された金属片９によって、前記固定部材５の磁石部材６と磁気接続し、前記透明部２を介してサイコロ部材７の標記を視認可能とすることを第１の特徴とする。
【０００９】
また、前記サイコロ部材７の六面には、サイコロ数字が標記され、少なくとも２個のサイコロ部材７が投入されることを特徴とする。
【００１０】
７の六面には、占い文字が標記され、１個のサイコロ部材７が投入されることを特徴とする。
【考案の効果】
【００１１】
本考案の密閉型ダイスカップ遊具は、以上のように構成されているので次のような優れた効果を有する。
（１）密閉された容器内に投入したサイコロ部材を、磁石部材によって引き付けて保持することで、確実にサイコロ部材の標記を視認できるという効果がある。
（２）しかも、サイコロ数字を使用する遊具として利用できるだけでなく、占い標記による占いにも利用できるという効果がある。
【図面の簡単な説明】
【００１２】
【図１】本考案に係る密閉型ダイスカップ遊具の内部構造の一実施例を示す斜視図である。
【図２】本考案に係る密閉型ダイスカップ遊具の一実施例を示す斜視図である。
【図３】本考案に係る密閉型ダイスカップ遊具の他の実施例を示す斜視図である。
【考案を実施するための形態】
【００１３】
以下、本考案の実施の形態を、図面に示す実施例に基づいて説明するが、本考案が本実施例に限定されないことは言うまでもない。図１は、本考案に係る密閉型ダイスカップ遊具の一実施例を示す斜視図、図２は本考案に係る密閉型ダイスカップ遊具の内部構造の一実施例を示す斜視図、図３は本考案に係る密閉型ダイスカップ遊具の他の実施例を示す斜視図である。
【実施例】
【００１４】
図１に示すように、本考案の密閉型ダイスカップ遊具１０は、合成樹脂製で筒状の密閉容器本体１の上部平面部に１箇所の透明部２が形成されており、この透明部２を通して後述するサイコロ部材７の標記を視認可能とする。そして、平面部中央には、バネ部材３が取り付けられ、このバネ部材３を挿通して棒状体４が摺動自在に貫通している。そして、棒状体４の一端側にはボタン部１１が設けられており、このボタン部１１を押圧して棒状体４を密閉容器本体１内に摺動させることにより、後述する固定部材５の磁石部材６とサイコロ部材７の各表面中央に埋め込まれた金属片９との磁気接続状態が解除されて落下し、サイコロゲームを開始できる。
【００１５】
図２は、密閉型ダイスカップ遊具１０の内部構造を示している。図に示すようにバネ部材３の下方にはサイコロ部材７と略同じサイズの正六面体からなる固定部材５が配置され、図１の密閉容器本体１の内側に固着される。固定部材５の上下方向中央位置には、棒状体４を挿通する挿通孔１２が穿設されており、挿通した棒状体４の一端側は固定部材５と同じサイズの支持体１３に固定され、この支持体１３の底部に取り付けられた仕切り板１４と、この仕切り板１４の切欠き部１５に取り付けられたサイコロ保持部材８は、棒状体４の摺動に伴なって一体に摺動する。尚、サイコロ保持部材８は上記サイコロ部材７を充分保持可能な大きさであり、その上部は前記透明部２と対向して透明部１６が形成され、また側面一端側は前記固定部材５の側面と接する。
【００１６】
固定部材５の側面の少なくとも１面には磁石部材６が挿入されており、密閉容器本体１に投入されているサイコロ部材７を充分攪拌してサイコロ保持部材８内に落下させると、この磁石部材６と上述したサイコロ部材７の金属片９とがサイコロ保持部材８を介して磁気接続し、透明部２を通してサイコロ部材７の標記を視認可能となる。
【００１７】
この構成からなる、本考案の密閉型ダイスカップ遊具１０は、密閉容器本体１のボタン部１１を押圧することによって棒状体４が摺動すると、サイコロ保持部材８も同時に摺動するため、サイコロ部材７の磁石部材６とサイコロ部材７の各表面中央に埋め込まれた金属片９との磁気接続状態が解除されて落下する。そして、ボタン部１１の押圧を解除した状態で密閉容器本体１を良く振り、密閉容器本体１を逆さにすると、サイコロ部材７がサイコロ保持部材８内に落下し、固定部材５の磁石部材６によってサイコロ部材７の金属片９が引き付けられて確実に保持され、透明部２を通してサイコロ部材７の標記を視認できる。尚、本実施例においてはサイコロ部材７の表面は占いに使用される大吉、小吉などの標記が記載されているが、他の標記であってもかまわない。
【００１８】
図３は、本考案の密閉型ダイスカップ遊具１０の他の実施例を示しており、サイコロ部材７を２個使用するものであり、尚且つサイコロ部材７の表面標記として数字標記を使用するものである。図に示すように、密閉容器本体１の上部平面部には２箇所の透明部２が形成されており、この透明部２を通してサイコロ部材７の標記を視認可能とする。内部構造に関しては、サイコロ保持部材８が２個接続する点以外は、上記した実施例と略同一であり、詳細は省略する。
【００１９】
この構成からなる密閉型ダイスカップ遊具１０は、ボタン部１１を押圧して棒状体４を密閉容器本体１内に摺動させ、２個のサイコロ部材７と固定部材５の磁石部材６との磁気接続状態を解除し、さらに密閉容器本体１を良く振り、密閉容器本体１を逆さにすることによって２個のサイコロ部材７をサイコロ保持部材８にそれぞれ落下させて固定部材５の磁石部材６と磁気接続させることにより確実に保持され、２ヵ所の透明部２を通して２個のサイコロ部材７の標記を視認可能とする。
【００２０】
以上、本考案による密閉型ダイスカップ遊具によれば、密閉された容器内に投入したサイコロ部材を、磁石部材によって引き付けて確実に保持することができ、透明部を介してサイコロ部材の標記を視認できる。しかも、サイコロ数字を使用する遊具として利用できるだけでなく、占い標記による占いにも利用できる。
【符号の説明】
【００２１】
１          密閉容器本体
２          透明部
３          バネ部材
４          棒状体
５          固定部材
６          磁石部材
７          サイコロ部材
８          サイコロ保持部材
９          金属片
１０          密閉型ダイスカップ遊具
１１          ボタン部
１２          挿通孔
１３          支持体
１４          仕切り板
１５          切欠き部
１６          透明部
【図１】
0003155851.tif 000003
【図２】
0003155851.tif 000004
【図３】
0003155851.tif 000005